(57)【特許請求の範囲】
【請求項１】
多重コンポーネントキャリアシステムにおける端末によるアップリンク伝送電力の制御方法であって、
第１のサービングセル（ｓｅｒｖｉｎｇ  ｃｅｌｌ）上で伝送されるアップリンク信号を生成するステップと、
第２のサービングセルに対するランダムアクセス手順の開始を命令するランダムアクセス開始情報を基地局から受信するステップと、
前記アップリンク信号の伝送のためにスケジューリングされた第１の伝送電力と、ランダムアクセスプリアンブルがマッピングされる物理ランダムアクセスチャネル（ｐｈｙｓｉｃａｌ  ｒａｎｄｏｍ  ａｃｃｅｓｓ  ｃｈａｎｎｅｌ：ＰＲＡＣＨ）の伝送のためにスケジューリングされた第２の伝送電力とに基づいて推定余剰電力（ｅｓｔｉｍａｔｅｄ  ｐｏｗｅｒ  ｈｅａｄｒｏｏｍ）を計算するステップと、
前記推定余剰電力が臨界電力より小さい場合、電力割当優先順位に基づいて前記第１の伝送電力または前記第２の伝送電力を調整して、前記アップリンク信号及び前記ＰＲＡＣＨを同時に伝送する、または、前記電力割当優先順位に基づいて前記アップリンク信号及び前記ＰＲＡＣＨのうちいずれか１つを選択的に伝送するステップと、
を含むことを特徴とするアップリンク伝送電力の制御方法。
【請求項２】
前記第１の伝送電力または前記第２の伝送電力の調整は、
前記ＰＲＡＣＨが前記アップリンク信号より優先順位が高い場合、前記第１の伝送電力を減少させることを含むことを特徴とする請求項１に記載のアップリンク伝送電力の制御方法。
【請求項３】
前記アップリンク信号は、サウンディング基準信号（ｓｏｕｎｄｉｎｇ  ｒｅｆｅｒｅｎｃｅ  ｓｉｇｎａｌ：ＳＲＳ）であることを特徴とする請求項２に記載のアップリンク伝送電力の制御方法。
【請求項４】
前記アップリンク信号は、物理アップリンク共用チャネル（ｐｈｙｓｉｃａｌ  ｕｐｌｉｎｋ  ｓｈａｒｅｄ  ｃｈａｎｎｅｌ：ＰＵＳＣＨ）であることを特徴とする請求項２に記載のアップリンク伝送電力の制御方法。
【請求項５】
前記第１の伝送電力または前記第２の伝送電力の調整は、
前記アップリンク信号が前記ＰＲＡＣＨより優先順位が高い場合、前記第２の伝送電力を減少させることを含むことを特徴とする請求項１に記載のアップリンク伝送電力の制御方法。
【請求項６】
前記アップリンク信号は、物理アップリンク制御チャネル（ｐｈｙｓｉｃａｌ  ｕｐｌｉｎｋ  ｃｏｎｔｒｏｌ  ｃｈａｎｎｅｌ：ＰＵＣＣＨ）であることを特徴とする請求項５に記載のアップリンク伝送電力の制御方法。
【請求項７】
前記アップリンク信号は、ＡＣＫ／ＮＡＣＫ信号、チャネル品質情報（ｃｈａｎｎｅｌ  ｑｕａｌｉｔｙ  ｉｎｆｏｒｍａｔｉｏｎ：ＣＱＩ）、及びランク指示子（ｒａｎｋ  ｉｎｄｉｃａｔｏｒ）のうち、少なくとも１つを含むＰＵＳＣＨであることを特徴とする請求項５に記載のアップリンク伝送電力の制御方法。
【請求項８】
前記臨界電力は、０ｄＢであることを特徴とする請求項１に記載のアップリンク伝送電力の制御方法。
【請求項９】
前記推定余剰電力が前記臨界電力より小さい場合、前記推定余剰電力の報告をトリガリング（ｔｒｉｇｇｅｒｉｎｇ）するステップをさらに含むことを特徴とする請求項１に記載のアップリンク伝送電力の制御方法。
【請求項１０】
多重コンポーネントキャリアシステムにおけるアップリンク伝送電力を制御する端末であって、
第１のサービングセル（ｓｅｒｖｉｎｇｃｅｌｌ）上で伝送されるアップリンク信号を生成する信号生成部と、
第２のサービングセルに対するランダムアクセス手順の開始を命令するランダムアクセス開始情報を基地局から受信する受信部と、
前記アップリンク信号の伝送のためにスケジューリングされた第１の伝送電力と、ランダムアクセスプリアンブルがマッピングされる物理ランダムアクセスチャネル（ｐｈｙｓｉｃａｌ  ｒａｎｄｏｍ  ａｃｃｅｓｓ  ｃｈａｎｎｅｌ：ＰＲＡＣＨ）の伝送のためにスケジューリングされた第２の伝送電力とに基づいて推定余剰電力（ｅｓｔｉｍａｔｅｄ  ｐｏｗｅｒ  ｈｅａｄｒｏｏｍ）を計算し、前記推定余剰電力と臨界電力とを比較し、電力割当優先順位に基づいて前記第１の伝送電力と前記第２の伝送電力とを調整する電力調整部と、
前記推定余剰電力が前記臨界電力より小さい場合、前記調整された第１の伝送電力と前記調整された第２の伝送電力とによって前記アップリンク信号及び前記ＰＲＡＣＨを同時に伝送する、または、前記電力割当優先順位に基づいて前記アップリンク信号及び前記ＰＲＡＣＨのうちいずれか１つを選択的に伝送する伝送部と、
を備えることを特徴とする端末。
【請求項１１】
前記電力調整部は、
前記ＰＲＡＣＨが前記アップリンク信号より優先順位が高い場合、前記第１の伝送電力を減少させることを含むことを特徴とする請求項１０に記載の端末。
【請求項１２】
前記信号生成部は、
サウンディング基準信号（ｓｏｕｎｄｉｎｇ  ｒｅｆｅｒｅｎｃｅ  ｓｉｇｎａｌ：ＳＲＳ）を前記アップリンク信号で生成することを特徴とする請求項１１に記載の端末。
【請求項１３】
前記信号生成部は、
物理アップリンク共用チャネル（ｐｈｙｓｉｃａｌ  ｕｐｌｉｎｋ  ｓｈａｒｅｄ  ｃｈａｎｎｅｌ：ＰＵＳＣＨ）を前記アップリンク信号で生成することを特徴とする請求項１１に記載の端末。
【請求項１４】
前記電力調整部は、
前記アップリンク信号が前記ＰＲＡＣＨより優先順位が高い場合、前記第２の伝送電力を減少させることを含むことを特徴とする請求項１０に記載の端末。
【請求項１５】
前記信号生成部は、
物理アップリンク制御チャネル（ｐｈｙｓｉｃａｌ  ｕｐｌｉｎｋ  ｃｏｎｔｒｏｌ  ｃｈａｎｎｅｌ：ＰＵＣＣＨ）を前記アップリンク信号で生成することを特徴とする請求項１４に記載の端末。
【請求項１６】
前記信号生成部は、
ＡＣＫ／ＮＡＣＫ信号、チャネル品質情報（ｃｈａｎｎｅｌ  ｑｕａｌｉｔｙ  ｉｎｆｏｒｍａｔｉｏｎ：ＣＱＩ）、及びランク指示子（ｒａｎｋ  ｉｎｄｉｃａｔｏｒ）のうち、少なくとも１つを含むＰＵＳＣＨを前記アップリンク信号で生成することを特徴とする請求項１４に記載の端末。
【請求項１７】
前記電力調整部は、
前記臨界電力を０ｄＢに設定することを特徴とする請求項１０に記載の端末。
【請求項１８】
前記推定余剰電力が前記臨界電力より小さい場合、
前記信号生成部は、前記推定余剰電力の報告をトリガリング（ｔｒｉｇｇｅｒｉｎｇ）することをさらに含むことを特徴とする請求項１０に記載の端末。
【発明の詳細な説明】
【技術分野】
【０００１】
本発明は、無線通信に関し、より詳しくは、多重コンポーネントキャリアシステムにおけるアップリンク伝送電力の制御装置及び方法に関する。
【背景技術】
【０００２】
次世代無線通信システムの候補として、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）とＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｍが開発されている。８０２．１６ｍ規格は、既存の８０２．１６ｅ規格の修正という過去の連続性と次世代ＩＭＴ−Ａｄｖａｎｃｅｄシステムのための規格という未来の連続性との２つの側面を内包している。したがって、８０２．１６ｍ規格は、８０２．１６ｅ規格に基づいたＭｏｂｉｌｅ  ＷｉＭＡＸシステムとの互換性（ｃｏｍｐａｔｉｂｉｌｉｔｙ）を維持しつつ、ＩＭＴ−Ａｄｖａｎｃｅｄシステムのための進歩した要求事項を全て満たすことを求めている。
【０００３】
無線通信システムは一般に、データ送信のために１つの帯域幅を用いる。例えば、２世代無線通信システムは、２００ＫＨｚ〜１．２５ＭＨｚの帯域幅を使用し、３世帯無線通信システムは、５ＭＨｚ〜１０ＭＨｚの帯域幅を使用する。増加する送信容量をサポートするために、最近の３ＧＰＰ  ＬＴＥまたは８０２．１６ｍは、２０ＭＨｚまたはそれ以上までその帯域幅を拡張し続けている。送信容量を高めるために帯域幅を増やすことは必須であるといえるが、求められるサービスの水準が低い場合にも大きい帯域幅をサポートすることは、大きな電力消費を引き起こす恐れがある。
【０００４】
したがって、１つの帯域幅と中心周波数を有するキャリアを定義し、複数のキャリアを介して広帯域にデータを送信及び／又は受信できるようにする多重コンポーネントキャリア（Ｍｕｌｔｉｐｌｅ  Ｃｏｍｐｏｎｅｎｔ  Ｃａｒｒｉｅｒ）システムが登場している。１つまたはそれ以上のキャリアを使用することにより、狭帯域と広帯域を同時にサポートすることである。例えば、１つのキャリアが５ＭＨｚの帯域幅に対応するならば、４個のキャリアを使用することにより、最大２０ＭＨｚの帯域幅をサポートすることである。
【０００５】
基地局が端末の資源を効率的に活用するための１つの方法は、端末の電力情報を利用することである。電力制御技術は、無線通信においてリソースの効率的配分のために干渉コンポーネントを最小化し、端末のバッテリ消費を減らすための必須核心技術である。端末は、基地局が割り当てる伝送電力制御（Ｔｒａｎｓｍｉｔ  Ｐｏｗｅｒ  Ｃｏｎｔｒｏｌ；ＴＰＣ）、変調及びコーディング水準（Ｍｏｄｕｌａｔｉｏｎ  ａｎｄ  Ｃｏｄｉｎｇ  Ｓｃｈｅｍｅ；ＭＣＳ）、帯域幅等のスケジューリング情報に応じてアップリンク伝送電力を決定することができる。
【０００６】
ところが、多重コンポーネントキャリアシステムが導入されるにつれて、コンポーネントキャリアのアップリンク伝送電力が総合的に考慮されなければならないので、端末の電力制御は一層複雑になる。このような複雑性は、端末の最大送信電力（Ｍａｘｉｍｕｍ  Ｔｒａｎｓｍｉｓｓｉｏｎ  Ｐｏｗｅｒ）の側面で問題を引き起こす恐れがある。一般に端末は、許容可能な範囲の送信電力である最大送信電力より低い電力によって動作しなければならない。もし、基地局が最大送信電力以上の送信電力を要求するスケジューリングをする場合、実際アップリンク伝送電力が最大送信電力を超過する問題を引き起こす恐れがある。これは、多重コンポーネントキャリアの電力制御が明確に定義されないか、または端末と基地局との間にアップリンク伝送電力に関する情報が十分に共有されないためである。
【発明の概要】
【発明が解決しようとする課題】
【０００７】
本発明の技術的課題は、多重コンポーネントキャリアシステムにおけるアップリンク伝送電力の制御装置及び方法を提供することにある。
【０００８】
本発明の他の技術的課題は、優先順位にしたがって複数のサービングセルでの物理アップリンクチャネルに伝送電力を割り当てる装置及び方法を提供することにある。
【０００９】
本発明のさらに他の技術的課題は、複数のサービングセルでの物理アップリンクチャネルで伝送電力を割り当てる優先順位を決定する装置及び方法を提供することにある。
【課題を解決するための手段】
【００１０】
本発明の一態様によれば、多重コンポーネントキャリアシステムにおける端末によるアップリンク伝送電力の制御方法を提供する。前記アップリンク伝送電力の制御方法は、第１のサービングセル（ｓｅｒｖｉｎｇ  ｃｅｌｌ）上で伝送されるアップリンク信号を生成するステップと、第２のサービングセルに対するランダムアクセス手順の開始を命令するランダムアクセス開始情報を基地局から受信するステップと、前記アップリンク信号の伝送のためにスケジューリングされた第１の伝送電力と、ランダムアクセスプリアンブルがマッピングされる物理ランダムアクセスチャネル（ｐｈｙｓｉｃａｌ  ｒａｎｄｏｍ  ａｃｃｅｓｓ  ｃｈａｎｎｅｌ：ＰＲＡＣＨ）の伝送のためにスケジューリングされた第２の伝送電力とから推定余剰電力（ｅｓｔｉｍａｔｅｄ  ｐｏｗｅｒ  ｈｅａｄｒｏｏｍ）を計算するステップと、前記推定余剰電力が臨界電力より小さい場合、電力割当優先順位に基づいて前記第１の伝送電力または前記第２の伝送電力を調整するステップとを含む。
【発明の効果】
【００１１】
多重コンポーネントキャリアシステムにおいてアップリンク信号を伝送するとき、電力割当優先順位にしたがって選択的にアップリンク信号を伝送すれば、アップリンク伝送電力が効率的に配分され得る。また、電力割当が単純で、かつ明確な規則によってなされるので、システムの複雑度も減らしつつ、性能が向上し得る。
【図面の簡単な説明】
【００１２】
【図１】本発明が適用される無線通信システムの一例を示す。
【図２】バンド内（ｉｎｔｒａ−ｂａｎｄ）隣接（ｃｏｎｔｉｇｕｏｕｓ）キャリアアグリゲーション（ａｇｇｒｅｇａｔｉｏｎ）を示す。
【図３】同じバンド内非隣接（ｎｏｎ−ｃｏｎｔｉｇｕｏｕｓ）キャリアアグリゲーションを示す。
【図４】同じバンド間（ｉｎｔｅｒ−ｂａｎｄ）キャリアアグリゲーションを示す。
【図５】多重キャリアシステムにおいてダウンリンクコンポーネントキャリアとアップリンクコンポーネントキャリアとの間の接続設定を示す。
【図６】本発明が適用される余剰電力を時間−周波数軸で示したグラフの一例である。
【図７】本発明の一例に係る端末によるアップリンク伝送電力の制御方法を説明する順序図である。
【図８】本発明の他の例に係る端末によるアップリンク伝送電力の制御方法を説明する順序図である。
【図９】本発明の一例に係るアップリンク伝送電力の制御方法を説明するフローチャートである。
【図１０】本発明の一例に係るアップリンク伝送電力を制御する端末と基地局を示したブロック図である。
【発明を実施するための形態】
【００１３】
以下、本明細書では、一部実施形態を例示的な図面によって詳細に説明する。各図面の構成要素等に参照符号を付加するにあって、同じ構成要素等に対しては、たとえ他の図面上に表示されてもなるべく同じ符号を有するようにしていることに留意しなければならない。また、本明細書の実施形態を説明するにあって、関連した公知構成または機能に対する具体的な説明が本明細書の要旨を濁す恐れがあると判断される場合には、その詳細な説明を省略する。
【００１４】
また、本明細書は、無線通信ネットワークを対象として説明し、無線通信ネットワークでなされる作業は、当該無線通信ネットワークを管轄するシステム（例えば、基地局）でネットワークを制御し、データを送信する過程でなされるか、当該無線ネットワークに結合した端末で作業がなされ得る。
【００１５】
図１は、本発明が適用される無線通信システムの一例を示す。
【００１６】
図１に示すように、無線通信システム１０は、音声、パケットデータなどのような様々な通信サービスを提供するために広く配置される。
【００１７】
無線通信システム１０は、少なくとも１つの基地局（１１；Ｂａｓｅ  Ｓｔａｔｉｏｎ、ＢＳ）を備える。各基地局１１は、特定の地理的領域（一般にセル（ｃｅｌｌ）という）１５ａ、１５ｂ、１５ｃに対して通信サービスを提供する。セルは、さらに複数の領域（セクタという）に分けられることができる。
【００１８】
端末（１２；ｕｓｅｒ  ｅｑｕｉｐｍｅｎｔ、ＵＥ）は、固定されるか、移動性を有することができ、ＵＥ（ｕｓｅｒ  ｅｑｕｉｐｍｅｎｔ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語と呼ばれることができる。
【００１９】
基地局１１は、一般に端末１２と通信する地点（ｓｔａｔｉｏｎ）をいい、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語と呼ばれることができる。セルは、基地局１１がカバーする一部領域を示す包括的な意味と解釈されなければならず、メガセル、マクロセル、マイクロセル、ピコセル、フェムトセル等、様々なカバレッジ領域を全て包括する意味である。
【００２０】
以下において、ダウンリンク（ｄｏｗｎｌｉｎｋ）は、基地局１１から端末１２への通信を意味し、アップリンク（ｕｐｌｉｎｋ）は、端末１２から基地局１１への通信を意味する。ダウンリンクで送信機は、基地局１１の一部でありうるし、受信機は、端末１２の一部でありうる。
【００２１】
アップリンクで送信機は、端末１２の一部でありうるし、受信機は、基地局１１の一部でありうる。
【００２２】
無線通信システムに適用される多重接続方法には制限がない。ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ−ＦＤＭＡ）、ＯＦＤＭ−ＦＤＭＡ、ＯＦＤＭ−ＴＤＭＡ、ＯＦＤＭ−ＣＤＭＡのような様々な多重接続方法を使用することができる。アップリンク伝送及びダウンリンク伝送は、互いに異なる時間を使用して伝送されるＴＤＤ（Ｔｉｍｅ  Ｄｉｖｉｓｉｏｎ  Ｄｕｐｌｅｘ）方式が使用され得るし、或いは、互いに異なる周波数を使用して伝送されるＦＤＤ（Ｆｒｅｑｕｅｎｃｙ  Ｄｉｖｉｓｉｏｎ  Ｄｕｐｌｅｘ）方式が使用され得る。
【００２３】
端末とネットワークとの間の無線インターフェースプロトコル（ｒａｄｉｏｉｎｔｅｒｆａｃｅ  ｐｒｏｔｏｃｏｌ）の階層等は、通信システムにおいて広く知られた開放型システム間相互接続（Ｏｐｅｎ  Ｓｙｓｔｅｍ  Ｉｎｔｅｒｃｏｎｎｅｃｔｉｏｎ；ＯＳＩ）モデルの下位３個の階層を基にＬ１（第１の階層）、Ｌ２（第２の階層）、Ｌ３（第３の階層）に区分されることができる。
【００２４】
第１の階層の物理階層（Ｐｈｙｓｉｃａｌ  Ｌａｙｅｒ）は、上位にある媒体アクセス制御（Ｍｅｄｉｕｍ  Ａｃｃｅｓｓ  Ｃｏｎｔｒｏｌ；ＭＡＣ）階層とは伝送チャネル（ｔｒａｎｓｐｏｒｔ  ｃｈａｎｎｅｌ）を介して接続されており、この伝送チャネルを介してＭＡＣと物理階層との間のデータが移動する。そして、互いに異なる物理階層間、すなわち、送信側と受信側との物理階層間は、物理チャネル（Ｐｈｙｓｉｃａｌ  Ｃｈａｎｎｅｌ）を介してデータが移動する。物理階層で使用されるいくつかの物理制御チャネルなどがある。
【００２５】
物理制御情報を伝送する物理ダウンリンク制御チャネル（ｐｈｙｓｉｃａｌｄｏｗｎｌｉｎｋ  ｃｏｎｔｒｏｌ  ｃｈａｎｎｅｌ；ＰＤＣＣＨ）は、端末にＰＣＨ（ｐａｇｉｎｇ  ｃｈａｎｎｅｌ）とＤＬ−ＳＣＨ（ｄｏｗｎｌｉｎｋ  ｓｈａｒｅｄ  ｃｈａｎｎｅｌ）のリソース割当及びＤＬ−ＳＣＨと関連したＨＡＲＱ（ｈｙｂｒｉｄ  ａｕｔｏｍａｔｉｃ  ｒｅｐｅａｔ  ｒｅｑｕｅｓｔ）情報を知らせる。ＰＤＣＣＨは、端末にアップリンク伝送のリソース割当を知らせるアップリンクグラント（ｕｐｌｉｎｋ  ｇｒａｎｔ）を運ぶことができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、端末にＰＤＣＣＨ等に使用されるＯＦＤＭシンボルの数を知らせ、サブフレーム（ｓｕｂｆｒａｍｅ）毎に伝送される。ＰＨＩＣＨ（ｐｈｙｓｉｃａｌ  Ｈｙｂｒｉｄ  ＡＲＱ  Ｉｎｄｉｃａｔｏｒ  Ｃｈａｎｎｅｌ）は、アップリンク伝送の応答としてＨＡＲＱ  ＡＣＫ／ＮＡＫ信号を運ぶ。
【００２６】
物理アップリンク制御チャネル（Ｐｈｙｓｉｃａｌ  ｕｐｌｉｎｋ  ｃｏｎｔｒｏｌ  ｃｈａｎｎｅｌ：ＰＵＣＣＨ）は、ダウンリンク伝送に対するＨＡＲＱ  ＡＣＫ／ＮＡＫ、スケジューリング要請、及びＣＱＩ（Ｃｈａｎｎｅｌ  Ｑｕａｌｉｔｙ  Ｉｎｆｏｒｍａｔｉｏｎ）のようなアップリンク制御情報を運ぶ。物理アップリンク共用チャネル（Ｐｈｙｓｉｃａｌ  ｕｐｌｉｎｋ  ｓｈａｒｅｄ  ｃｈａｎｎｅｌ：ＰＵＳＣＨ）は、ＵＬ−ＳＣＨ（ｕｐｌｉｎｋ  ｓｈａｒｅｄ  ｃｈａｎｎｅｌ）を運ぶ。
【００２７】
端末がＰＵＣＣＨまたはＰＵＳＣＨを伝送する状況は次のとおりである。
【００２８】
端末は、ＣＱＩまたは測定された空間チャネル情報に基づいて選択したＰＭＩ（Ｐｒｅｃｏｄｉｎｇ  Ｍａｔｒｉｘ  Ｉｎｄｅｘ）、またはＲＩ（Ｒａｎｋ  Ｉｎｄｉｃａｔｏｒ）に関する情報のうち、少なくとも１つ以上の情報に対してＰＵＣＣＨを構成し、これを基地局に周期的に伝送する。また、端末は、基地局から受信したダウンリンクデータに対するＡＣＫ／ＮＡＣＫ（Ａｃｋｎｏｗｌｅｄｇｅｍｅｎｔ／ｎｏｎ−Ａｃｋｎｏｗｌｅｄｇｅｍｅｎｔ）に関する情報を、ダウンリンクデータを受信した後、所定の個数のサブフレーム以後に基地局に伝送する。一例として、ｎ番目のサブフレームでダウンリンクデータを受信した場合、ｎ＋４サブフレームでダウンリンクデータに対するＡＣＫ／ＮＡＣＫ情報で構成されたＰＵＣＣＨを伝送する。もし、端末が基地局から割り当てられたＰＵＣＣＨ上にＡＣＫ／ＮＡＣＫ情報を全て伝送できない場合、またはＡＣＫ／ＮＡＣＫを伝送できるＰＵＣＣＨを基地局から割り当てできなかった場合、端末は、ＡＣＫ／ＮＡＣＫ情報をＰＵＳＣＨに載せて送ることができる。
【００２９】
第２の階層である無線データリンク階層は、ＭＡＣ階層、ＲＬＣ階層、ＰＤＣＰ階層で構成される。ＭＡＣ階層は、論理チャネルと伝送チャネルとの間のマッピングを担当する階層であって、ＲＬＣ階層から伝達されたデータを伝送するために適切な伝送チャネルを選択し、必要な制御情報をＭＡＣ  ＰＤＵ（Ｐｒｏｔｏｃｏｌ  Ｄａｔａ  Ｕｎｉｔ）のヘッダ（ｈｅａｄｅｒ）に追加する。ＲＬＣ階層は、ＭＡＣの上位に位置してデータの信頼性のある伝送をサポートする。また、ＲＬＣ階層は、無線区間に合う適切なサイズのデータを構成するために、上位階層から伝達されたＲＬＣ  ＳＤＵ（Ｓｅｒｖｉｃｅ  Ｄａｔａ  Ｕｎｉｔ）等を分割（Ｓｅｇｍｅｎｔａｔｉｏｎ）し、接続（Ｃｏｎｃａｔｅｎａｔｉｏｎ）する。受信機のＲＬＣ階層は、受信したＲＬＣ  ＰＤＵ等から元のＲＬＣ  ＳＤＵを復旧するために、データの再結合（Ｒｅａｓｓｅｍｂｌｅ）機能をサポートする。ＰＤＣＰ階層は、パケット交換領域のみで使用され、無線チャネルでパケットデータの伝送効率を高めることができるようにＩＰパケットのヘッダを圧縮して伝送することができる。
【００３０】
第３の階層であるＲＲＣ（Ｒａｄｉｏ  Ｒｅｓｏｕｒｃｅ  Ｃｏｎｔｒｏｌ）階層は、下位階層を制御する役割とともに、端末とネットワークとの間で無線リソース制御情報を交換する。端末の通信状態に応じて休止モード（Ｉｄｌｅ  Ｍｏｄｅ）、ＲＲＣ接続モード（Ｃｏｎｎｅｃｔｅｄ  Ｍｏｄｅ）等、様々なＲＲＣ状態が定義され、必要に応じてＲＲＣ状態間の転移が可能である。ＲＲＣ階層では、システム情報放送、ＲＲＣ接続管理手順、多重コンポーネントキャリア設定手順、無線ベアラー（Ｒａｄｉｏ  Ｂｅａｒｅｒ）制御手順、保安手順、測定手順、移動性管理手順（ハンドオーバー）等、無線リソース管理と関連した様々な手順が定義される。
【００３１】
キャリアアグリゲーション（ｃａｒｒｉｅｒ  ａｇｇｒｅｇａｔｉｏｎ：ＣＡ）は、複数のコンポーネントキャリアをサポートするものであって、スペクトルアグリゲーションまたは帯域幅アグリゲーション（ｂａｎｄｗｉｄｔｈ  ａｇｇｒｅｇａｔｉｏｎ）ともいう。キャリアアグリゲーションにより縛られる個別的な単位キャリアをコンポーネントキャリア（ｃｏｍｐｏｎｅｎｔ  ｃａｒｒｉｅｒ；以下、ＣＣ）という。各ＣＣは、帯域幅と中心周波数により定義される。キャリアアグリゲーションは、増加される歩留まり率（ｔｈｒｏｕｇｈｐｕｔ）をサポートし、広帯域ＲＦ（ｒａｄｉｏ  ｆｒｅｑｕｅｎｃｙ）素子の導入による費用増加を防止し、既存システムとの互換性を保障するために導入されるものである。例えば、５ＭＨｚ帯域幅を有するキャリア単位のグラニュラリティ（ｇｒａｎｕｌａｒｉｔｙ）として５個のＣＣが割り当てられれば、最大２５ＭＨｚの帯域幅をサポートすることができる。
キャリアアグリゲーションは、図２のようなバンド内（ｉｎｔｒａ−ｂａｎｄ）隣接（ｃｏｎｔｉｇｕｏｕｓ）キャリアアグリゲーション、図３のようなバンド内非隣接（ｎｏｎ−ｃｏｎｔｉｇｕｏｕｓ）キャリアアグリゲーション、そして、図４のようなバンド間（ｉｎｔｅｒ−ｂａｎｄ）キャリアアグリゲーションに分けられることができる。
【００３２】
まず、図２に示すように、バンド内隣接キャリアアグリゲーションは、同一バンド内において連続的なＣＣ等の間でなされる。例えば、アグリゲーションされるＣＣ等であるＣＣ＃１、ＣＣ＃２、ＣＣ＃３、．．．、ＣＣ＃Ｎが全て隣接する。
【００３３】
図３に示すように、バンド内非隣接キャリアアグリゲーションは、不連続的なＣＣ等間でなされる。例えば、アグリゲーションされるＣＣ等であるＣＣ＃１、ＣＣ＃２は、互いに特定周波数の分だけ離隔して存在する。
【００３４】
図４に示すように、バンド間キャリアアグリゲーションは、複数のＣＣ等が存在するとき、そのうち、１つ以上のＣＣが異なる周波数帯域上でアグリゲーションされる形態である。例えば、アグリゲーションされるＣＣ等であるＣＣ＃１はバンド（ｂａｎｄ）＃１に存在し、ＣＣ＃２はバンド＃２に存在する。
【００３５】
ダウンリンクとアップリンクとの間にアグリゲーションされるＣＣ数は違って設定されることができる。ダウンリンクＣＣ数とアップリンクＣＣ数とが同じ場合を対称的（ｓｙｍｍｅｔｒｉｃ）アグリゲーションといい、その数が異なる場合を非対称的（ａｓｙｍｍｅｔｒｉｃ）アグリゲーションという。
【００３６】
また、ＣＣ等のサイズ（すなわち、帯域幅）は互いに異なり得る。例えば、７０ＭＨｚ帯域の構成のために５個のＣＣ等が使用されるとするとき、５ＭＨｚ  ＣＣ（ｃａｒｒｉｅｒ  ＃０）＋２０ＭＨｚ  ＣＣ（ｃａｒｒｉｅｒ  ＃１）＋２０ＭＨｚ  ＣＣ（ｃａｒｒｉｅｒ  ＃２）＋２０ＭＨｚ  ＣＣ（ｃａｒｒｉｅｒ  ＃３）＋５ＭＨｚ  ＣＣ（ｃａｒｒｉｅｒ  ＃４）のように構成されることもできる。
【００３７】
多重コンポーネントキャリア（ｍｕｌｔｉｐｌｅ  ｃｏｍｐｏｎｅｎｔ  ｃａｒｒｉｅｒ）システムとは、キャリアアグリゲーションをサポートするシステムをいう。多重コンポーネントキャリアシステムにおいて隣接キャリアアグリゲーションまたは非隣接キャリアアグリゲーションが使用され得るし、また、対称的アグリゲーションまたは非対称的アグリゲーションのいずれも使用され得る。
【００３８】
図５は、多重コンポーネントキャリアシステムにおいてダウンリンクコンポーネントキャリアとアップリンクコンポーネントキャリアとの間の接続設定（ｌｉｎｋａｇｅ）を示す。
【００３９】
図５に示すように、一例として、ダウンリンクコンポーネントキャリア（以下、ＤＬ  ＣＣ）Ｄ１、Ｄ２、Ｄ３がアグリゲーションされて（ａｇｇｒｅｇａｔｅｄ）おり、アップリンクコンポーネントキャリア（以下、ＵＬ  ＣＣ）Ｕ１、Ｕ２、Ｕ３がアグリゲーションされている。ここで、ＤｉはＤＬ  ＣＣのインデックスであり、ＵｉはＵＬ  ＣＣのインデックスである（ｉ＝１、２、３）。少なくとも１つのＤＬ  ＣＣはＰＣＣであり、残りはＳＣＣである。各インデックスは、コンポーネントキャリアの順序または当該コンポーネントキャリアの周波数帯域の位置に一致するものではない。
【００４０】
一方、少なくとも１つのＵＬ  ＣＣはＰＣＣであり、残りはＳＣＣである。例えば、Ｄ１、Ｕ１がＰＣＣであり、Ｄ２、Ｕ２、Ｄ３、Ｕ３はＳＣＣである。
【００４１】
ここで、主コンポーネントキャリアのインデックスは０に設定されることができ、それ以外の自然数のうちの１つが副コンポーネントキャリアのインデックスでありうる。また、ダウンリンク・アップリンクコンポーネントキャリアのインデックスは、当該ダウンリンク・アップリンクコンポーネントキャリアが含まれたコンポーネントキャリア（またはサービングセル）のインデックスと同様に設定されることができる。さらに他の例として、コンポーネントキャリアインデックスまたは副コンポーネントキャリアインデックスのみが設定され、当該コンポーネントキャリアに含まれたダウンリンク・アップリンクコンポーネントキャリアインデックスは存在しないことができる。
【００４２】
ＦＤＤシステムにおいてＤＬ  ＣＣとＵＬ  ＣＣは１：１に接続設定されることができる。例えば、Ｄ１はＵ１と、Ｄ２はＵ２と、Ｄ３はＵ３と各々１：１に接続設定される。論理チャネルＢＣＣＨが伝送するシステム情報またはＤＣＣＨが伝送する端末専用ＲＲＣメッセージを介して、端末はＤＬ  ＣＣ等とＵＬ  ＣＣ等との間の接続設定をする。このような接続をＳＩＢ１（ｓｙｓｔｅｍ  ｉｎｆｏｒｍａｔｉｏｎ  ｂｌｏｃｋ  １）接続またはＳＩＢ２（ｓｙｓｔｅｍ  ｉｎｆｏｒｍａｔｉｏｎ  ｂｌｏｃｋ  ２）接続という。端末は、各接続設定をセル特定に（ｃｅｌｌ  ｓｐｅｃｉｆｉｃ）設定することができ、端末特定に（ＵＥ  ｓｐｅｃｉｆｉｃ）設定することもできる。一例として、主コンポーネントキャリアはセル特定に設定され、副コンポーネントキャリアは端末特定に設定されることができる。ここで、ダウンリンクコンポーネントキャリアとアップリンクコンポーネントキャリアとは、１：１接続設定はもちろんであり、１：ｎまたはｎ：１の接続設定も成立することができる。
【００４３】
主サービングセル（Ｐｒｉｍａｒｙ  Ｓｅｒｖｉｎｇ  ｃｅｌｌ  ＰＳＣ）に対応するダウンリンクコンポーネントキャリアをダウンリンク主コンポーネントキャリア（ＤＬ  ＰＣＣ）といい、主サービングセルに対応するアップリンクコンポーネントキャリアをアップリンク主コンポーネントキャリア（ＵＬ  ＰＣＣ）という。また、ダウンリンクにおいて、副サービングセル（Ｓｅｃｏｎｄａｒｙ  Ｓｅｒｖｉｎｇ  Ｃｅｌｌ：ＳＳＣ）に対応するコンポーネントキャリアをダウンリンク副コンポーネントキャリア（ＤＬ  ＳＣＣ）といい、アップリンクにおいて、副サービングセルに対応するコンポーネントキャリアをアップリンク副コンポーネントキャリア（ＵＬＳＣＣ）という。１つのサービングセルには、ダウンリンクコンポーネントキャリア（ＤＬ  ＣＣ）のみが対応することもでき、ダウンリンクコンポーネントキャリアとアップリンクコンポーネントキャリア（ＵＬ  ＣＣ）とが共に対応することもできる。
【００４４】
主サービングセルと副サービングセルとは、次のような特徴を有する。
【００４５】
第１に、主サービングセルは、ＰＵＣＣＨの伝送のために使用される。
【００４６】
第２に、主サービングセルは常に活性化されていることに対し、副サービングセルは特定条件によって活性化・非活性化されるキャリアである。
【００４７】
第３に、主サービングセルが無線リンク失敗（Ｒａｄｉｏ  Ｌｉｎｋ  Ｆａｉｌｕｒｅ；以下、ＲＬＦ）を経験するとき、ＲＲＣ再接続がトリガリング（ｔｒｉｇｇｅｒｉｎｇ）されるが、副サービングセルがＲＬＦを経験するときは、ＲＲＣ再接続がトリガリングされない。
【００４８】
第４に、主サービングセルは、保安キー（ｓｅｃｕｒｉｔｙ  ｋｅｙ）変更やＲＡＣＨ（Ｒａｎｄｏｍ  Ａｃｃｅｓｓ  ＣＨａｎｎｅｌ）手順と同伴するはハンドオーバー手順によって変更され得る。ただし、ＭＳＧ４（ｃｏｎｔｅｎｔｉｏｎ  ｒｅｓｏｌｕｔｉｏｎ）の場合、ＭＳＧ４を指示するＰＤＣＣＨのみが主サービングセルを介して伝送されなければならず、ＭＳＧ４情報は、主サービングセルまたは副サービングセルを介して伝送されることができる。
第５に、ＮＡＳ（ｎｏｎ−ａｃｃｅｓｓ  ｓｔｒａｔｕｍ）情報は、主サービングセルを介して受信する。
【００４９】
第６に、常に主サービングセルはＤＬ  ＰＣＣとＵＬ  ＰＣＣとがペア（ｐａｉｒ）で構成される。
【００５０】
第７に、各端末毎に異なるＣＣを主サービングセルに設定することができる。
第８に、副サービングセルの再設定（ｒｅｃｏｎｆｉｇｕｒａｔｉｏｎ）、追加（ａｄｄｉｎｇ）、及び除去（ｒｅｍｏｖａｌ）のような手順は、ＲＲＣ階層により行われ得る。新規副サービングセルの追加において、専用（ｄｅｄｉｃａｔｅｄ）の副サービングセルのシステム情報を伝送するのにＲＲＣシグナリングが使用され得る。
【００５１】
主サービングセルと副サービングセルの特徴に関する本発明の技術的思想は、必ずしも上記の説明に限定されるものではなく、これは例示であり、より多くの例を含むことができる。
【００５２】
端末には複数のサービングセルが構成され得る。例えば、端末には主サービングセルと１つの副サービングセルが構成され得、主サービングセルと複数の副サービングセルが構成され得る。そして、端末に構成された複数のサービングセル上で同時にまたは並列的にアップリンクチャネルが伝送され得る。ここで、アップリンクチャネルは、物理アップリンク制御チャネル（ＰＵＣＣＨ）、物理アップリンク共用チャネル（ＰＵＳＣＨ）、物理ランダムアクセスチャネル（ｐｈｙｓｉｃａｌ  ｒａｎｄｏｍ  ａｃｃｅｓｓ  ｃｈａｎｎｅｌ：ＰＲＡＣＨ）を含む。ＰＲＡＣＨにはランダムアクセスチャネル（ｒａｎｄｏｍ  ａｃｃｅｓｓ  ｃｈａｎｎｅｌ：ＲＡＣＨ）がマッピングされる。複数のサービングセル上に複数のアップリンクチャネルが並列的に伝送される例は、次のとおりである。一例として、主サービングセル上にＰＵＣＣＨが、副サービングセル上にＰＲＡＣＨが並列的に伝送され得る。他の例として、主サービングセル上にＰＵＳＣＨ、副サービングセル上にＰＲＡＣＨが並列的に伝送され得る。
【００５３】
端末が複数のアップリンクチャネルを複数のサービングセル上に伝送するためには、複数のアップリンクチャネルを伝送できる電力が必要である。ところが、端末に構成された最大送信電力（ｍａｘｉｍｕｍ  ｔｒａｎｓｍｉｓｓｉｏｎ  ｐｏｗｅｒ）は限定されており、全てのアップリンクチャネルを伝送するのに足りないことがある。例えば、端末に構成された最大送信電力が１０Ｗであるが、主サービングセル上にＰＵＳＣＨ、副サービングセル上にＰＲＡＣＨを伝送するのに各々７Ｗと５Ｗが必要であるとする。ＰＵＳＣＨとＰＲＡＣＨの伝送電力は総１２Ｗであるため、最大送信電力が２Ｗの分だけ足りない。したがって、ＰＵＳＣＨとＰＲＡＣＨのうち、少なくとも１つは、その伝送に必要な電力より少ない電力が割り当てられざるをえない。このような問題を解決するために端末は、与えられたアップリンク伝送電力を優先順位に基づいて各チャネルに割り当てることができる。優先順位を電力割当優先順位（ｐｏｗｅｒ  ａｌｌｏｃａｔｉｏｎ  ｐｒｉｏｒｉｔｙ）という。
【００５４】
一例として、端末は１０Ｗの電力をＰＵＳＣＨとＰＲＡＣＨのうち、いずれか１つに先に割り当て、残りを他のチャネルの伝送に割り当てる。例えば、ＰＵＳＣＨが優先順位の高い場合、端末はＰＵＳＣＨに７Ｗを先に割り当て、残った３ＷのみをＰＲＡＣＨの伝送に割り当てることができる。この場合、ＰＵＳＣＨの伝送に要求される電力は全て割り当てられ、ＰＲＡＣＨの伝送に要求される電力は２Ｗの分だけ少なく割り当てられる。逆に、ＰＲＡＣＨが優先順位の高い場合、端末はＰＲＡＣＨに５Ｗを先に割り当て、残った５ＷのみをＰＵＳＣＨの伝送に割り当てることもできる。この場合、ＰＵＳＣＨの伝送に要求される電力は２Ｗの分だけ少なく割り当てられ、ＰＲＡＣＨの伝送に要求される電力は全て割り当てられる。
【００５５】
電力割当優先順位を、ＰＵＳＣＨとＰＲＡＣＨのみを例に挙げて説明したが、ＰＵＣＣＨ、ＰＵＳＣＨ、ＰＲＡＣＨ、及びＳＲＳ等、全ての物理アップリンクチャネル間に電力割当優先順位が付けられ得る。
【００５６】
電力割当優先順位を決定する一コンポーネントはチャネルの信頼度である。より高い信頼度が保障されなければならないチャネルがより高い電力割当優先順位を有する。より大きい電力で伝送される信号であるほど受信の信頼度は高まる。
【００５７】
第１に、ＰＵＳＣＨとＰＲＡＣＨとの間の信頼度において、基地局は、ＰＵＳＣＨに対して不連続伝送（ｄｉｓｃｏｎｔｉｎｕｏｕｓ  ｔｒａｎｓｍｉｓｓｉｏｎ：ＤＴＸ）を検出できるので、ＰＵＳＣＨの信頼度が低くてもシステム性能に大きい影響はない。それに対し、基地局がＰＲＡＣＨを検出できなければ、端末のアップリンクリソース要請などに直ちに反応できないため、システム性能の劣化を引き起こすことがある。すなわち、ＰＲＡＣＨはＰＵＳＣＨより高い信頼度が要求され、ＰＵＳＣＨとＰＲＡＣＨとの間ではＰＲＡＣＨの電力割当優先順位が高くなることができる。ただし、ＡＣＫ／ＮＡＣＫ信号、チャネル品質情報（ｃｈａｎｎｅｌ  ｑｕａｌｉｔｙ  ｉｎｆｏｒｍａｔｉｏｎ：ＣＱＩ）、及びランク指示子のうち、少なくとも１つがＰＵＳＣＨを介しても伝送される場合には、例外的にＰＵＳＣＨがＰＲＡＣＨより電力割当優先順位が高い。
【００５８】
第２に、ＰＵＣＣＨとＰＲＡＣＨとの間の信頼度において、ＰＵＣＣＨは、ＡＣＫ／ＮＡＣＫ信号、チャネル状態情報、ランク指示子（ｒａｎｋ  ｉｎｄｉｃａｔｏｒ）等、主な制御情報を運ぶのでＰＵＣＣＨの信頼度がＰＲＡＣＨより高い。なぜなら、基地局がダウンリンクデータに対するＡＣＫ／ＮＡＣＫ信号の受信に失敗する場合、ダウンリンク伝送または再伝送が累積的に遅延されてシステム性能の劣化を引き起こすことがあるためである。したがって、ＰＵＣＣＨとＰＲＡＣＨとの間ではＰＵＣＣＨの電力割当優先順位が高い。
【００５９】
第３に、サウンディング基準信号（ｓｏｕｎｄｉｎｇ  ｒｅｆｅｒｅｎｃｅｓｉｇｎａｌ：ＳＲＳ）は、ある物理アップリンクチャネルと比較するとき、電力割当優先順位が最も低い。サウンディング基準信号は、アップリンクスケジューリングに使用される基準信号である。端末は、アップリンクチャネルにサウンディング基準信号を送り、基地局は、サウンディング基準信号からアップリンクチャネル状態を把握した後、アップリンク伝送のためのスケジューリングを行う。
【００６０】
以下において、余剰電力（ｐｏｗｅｒ  ｈｅａｄｒｏｏｍ：ＰＨ）に関して詳細に開示される。余剰電力は、現在端末がアップリンク伝送に使用する電力の他に、追加的に使用できる余分の電力を意味する。例えば、許容可能な範囲の送信電力である最大送信電力が１０Ｗである端末を仮定してみよう。そして、現在端末が１０Ｍｈｚの周波数帯域で９Ｗの電力を使用すると仮定しよう。端末は１Ｗを追加的に使用できるので、余剰電力は１Ｗになる。
【００６１】
ここで、基地局が端末に２０ＭＨｚの周波数帯域を割り当てるならば、９Ｗ×２＝１８Ｗの電力が必要である。しかし、端末の最大送信電力が１０Ｗであるから、端末は、２０ＭＨｚ周波数帯域を全て使用できないか、若しくは電力が足りなくて基地局が端末の信号を正しく受信することができないであろう。このような問題を解決するために、端末が、余剰電力が１Ｗであることを基地局に報告すれば、基地局が余剰電力範囲内で追加的なスケジューリングをすることができる。この報告を余剰電力報告（Ｐｏｗｅｒ  Ｈｅａｄｒｏｏｍ  Ｒｅｐｏｒｔ；ＰＨＲ）という。
【００６２】
余剰電力ＰＰＨは、数式１のように端末に設定された（ｃｏｎｆｉｇｕｒｅｄ）最大送信電力Ｐｃｍａｘとアップリンク伝送に関して推定された電力Ｐｅｓｔｉｍａｔｅｄとの間の差異で定義され、ｄＢに表現される。
【００６３】
【数１】
0005763845.tif 000002
【００６４】
すなわち、余剰電力は、基地局により設定された端末の最大送信電力から各サービングセルで使用している送信電力の合計であるＰｅｓｔｉｍａｔｅｄを除いた残りの値がＰＰＨ値となる。一方、最大送信電力は、サービングセル毎に個別的に定義され得るが、例えば、サービングセルｃでの最大送信電力はＰｃｍａｘ、ｃのように表示される。
【００６５】
一例として、Ｐｅｓｔｉｍａｔｅｄ、ｃは、サービングセルｃで物理アップリンク共用チャネル（Ｐｈｙｓｉｃａｌ  Ｕｐｌｉｎｋ  Ｓｈａｒｅｄ  ＣＨａｎｎｅｌ；以下、ＰＵＳＣＨ）の伝送に関して推定された電力ＰＰＵＳＣＨ、ｃと同じである。したがって、この場合、余剰電力は数式２により求めることができる。数式２は、サービングセルｃのアップリンクにＰＵＳＣＨのみが伝送される場合であり、これをタイプ１という。タイプ１による余剰電力をタイプ１の余剰電力（ＰＰＨ、ｃ−ｔｙｐｅ１）という。
【００６６】
【数２】
0005763845.tif 000003
【００６７】
他の例として、Ｐｅｓｔｉｍａｔｅｄ、ｃは、サービングセルｃでのＰＵＳＣＨ伝送に関して推定された電力ＰＰＵＳＣＨ、ｃ及び物理アップリンク制御チャネル（Ｐｈｙｓｉｃａｌ  Ｕｐｌｉｎｋ  Ｃｏｎｔｒｏｌ  ＣＨａｎｎｅｌ；以下、ＰＵＣＣＨ）伝送に関して推定された電力ＰＰＵＣＣＨ、ｃの合計と同じである。したがって、この場合、余剰電力は数式３により求めることができる。数式３は、サービングセルｃのアップリンクにＰＵＳＣＨとＰＵＣＣＨが同時に伝送される場合であり、これをタイプ２という。タイプ２による余剰電力をタイプ２の余剰電力（ＰＰＨ、ｃ−ｔｙｐｅ２）という。ここで、サービングセルｃは主サービングセルを含む。
【００６８】
【数３】
0005763845.tif 000004
【００６９】
数式３による余剰電力を時間−周波数軸においてグラフで表現すれば図６のとおりである。これは、１つのサービングセルｃに対する余剰電力を示したものである。
【００７０】
図６に示すように、端末の設定された最大送信電力Ｐｃｍａｘは、ＰＰＨ６０５、ＰＰＵＳＣＨ６１０、及びＰＰＵＣＣＨ６１５で構成される。すなわち、ＰｃｍａｘからＰＰＵＳＣＨ６１０及びＰＰＵＣＣＨ６１５を除いた残りの電力がＰＰＨ６０５として定義される。各電力は、伝送時間区間（ｔｒａｎｓｍｉｓｓｉｏｎ  ｔｉｍｅ  ｉｎｔｅｒｖａｌ、ＴＴＩ）単位毎に計算される。
【００７１】
主サービングセルは、ＰＵＣＣＨを伝送できるＵＬ  ＰＣＣを保有する唯一のサービングセルである。
【００７２】
副サービングセルではＰＵＣＣＨを伝送できないので、余剰電力は数式２のように決められ、数式３により決められる余剰電力の報告方法に対するパラメータ及び動作は定義されない。それに対し、主サービングセルでは、数式３により決められる余剰電力の報告方法に対する動作とパラメータ等が定義され得る。もし、端末が基地局からアップリンクグラントを受信して主サービングセルでＰＵＳＣＨを伝送しなければならず、決められた規則によって同じサブフレームにＰＵＣＣＨを同時に伝送する場合、端末は、余剰電力報告がトリガリングされる時点で数式２及び数式３による余剰電力を全て計算して基地局に伝送する。
【００７３】
最大送信電力が十分大きく、数式２または３による余剰電力が０ｄＢより大きければ、複数の物理アップリンクチャネルまたはＳＲＳを同時に複数のサービングセル上に伝送しても問題ない。この場合には、電力割当優先順位が適用される必要がない。
【００７４】
電力割当優先順位が問題になる状況は、端末が第１のサービングセル上でＰＵＣＣＨの伝送またはＰＵＳＣＨの伝送、或いはＳＲＳの伝送、若しくはＰＵＣＣＨとＰＵＳＣＨの伝送時、第２のサービングセル上でＰＲＡＣＨを並列的に伝送することによる余剰電力が０ｄＢより小さくなる場合である。例えば、端末が第１のサービングセル上にＰＵＳＣＨを伝送するとするとき、余剰電力は数式２により計算される。しかし、端末が第２のサービングセル上にＰＲＡＣＨを共に伝送しなければならない場合、ＰＲＡＣＨの伝送電力の分だけ最大送信電力Ｐｃｍａｘが減少する。これは、最大送信電力Ｐｃｍａｘのサイズを減少させるパラメータである電力調整（ｐｏｗｅｒ  ｃｏｏｒｄｉｎａｔｉｏｎ）値がＰＲＡＣＨにより大きくなるためである。数式２においてＰｃｍａｘが減少すれば、余剰電力のサイズが０ｄＢより小さくなる。
【００７５】
このとき、端末は電力割当優先順位にしたがってＰＵＳＣＨとＰＲＡＣＨのうち、いずれか１つのみを選択的に伝送するか、それとも、ＰＵＳＣＨとＰＲＡＣＨを共に伝送するが、いずれか１つの伝送電力を減少させなければならない。
【００７６】
図７は、本発明の一例に係る端末によるアップリンク伝送電力の制御方法を説明する順序図である。
【００７７】
図７に示すように、端末は、第１のサブフレームの第１のサービングセル上で伝送されるようにスケジューリングされたアップリンク信号を生成する（Ｓ７００）。アップリンク信号は例えば、物理アップリンクチャネルまたはＳＲＳを含む。物理アップリンクチャネルは、ＰＵＣＣＨ、ＰＵＳＣＨのうち、少なくとも１つを含む。端末には２個以上のサービングセルが構成された状態であり、第１のサービングセルは主サービングセルを含む。
【００７８】
端末は、第１のサブフレームの第２のサービングセル上でランダムアクセス手順の開始を命令するランダムアクセス開始情報（ＲＡ  ｉｎｉｔｉａｔｅ  ｉｎｆｏｒｍａｔｉｏｎ）を基地局から受信する（Ｓ７０５）。ランダムアクセス開始情報は第２のサービングセルに関するものである。ランダムアクセス開始情報は、ダウンリンク制御情報（ｄｏｗｎｌｉｎｋ  ｃｏｎｔｒｏｌ  ｉｎｆｏｒｍａｔｉｏｎ：ＤＣＩ）のような形式で定義される。ＤＣＩは、ＰＤＣＣＨにマッピングされて基地局から端末に伝送される。これは、ＰＤＣＣＨ命令（ｏｒｄｅｒ）と呼ばれることができる。ＤＣＩは、ＤＣＩフォーマット１Ａでありうるし、次の表のように定義され得る。
【００７９】
【表１】
0005763845.tif 000005
【００８０】
表１に示すように、プリアンブルインデックスの値に応じて基地局の命令によるランダムアクセス手順が競合基盤になることができ、非競合基盤になることもできる。一例として、プリアンブルインデックス情報６ビットが全て「０」に設定されれば、競合基盤ランダムアクセス手順が実行される。例えば、プリアンブルインデックス＝「００００００」であれば、端末は、任意のプリアンブルを選択し、ＰＲＡＣＨマスクインデックス値も「０」に設定した後、ＰＲＡＣＨを伝送する。ＰＲＡＣＨマスクインデックスは、使用可能な時間／周波数リソース情報である。使用可能な時間／周波数リソース情報は、周波数分割デュプレックス（ｆｒｅｑｕｅｎｃｙ  ｄｉｖｉｓｉｏｎ  ｄｕｐｌｅｘ：ＦＤＤ）システムと時間分割デュプレックス（ｔｉｍｅ  ｄｉｖｉｓｉｏｎ  ｄｕｐｌｅｘ：ＴＤＤ）システムとによって指示するリソースが変わる。
【００８１】
第２のサービングセルは副サービングセルを含む。なぜなら、端末は、副サービングセルでのランダムアクセス手順を自発的に始めることができず、基地局からランダムアクセス開始指示子を受信してこそ始めることができるためである。このとき、表１でのセル指示子フィールド（ｃｅｌｌ  ｉｎｄｉｃａｔｏｒ  ｆｉｅｌｄ：ＣＩＦ）は、ランダムアクセス手順が開始される第２のサービングセルを指示する。ステップＳ７００とＳ７０５手順はその順序が変わることができ、同時に行われることもできる。
【００８２】
端末は、第１のサブフレームで推定される推定余剰電力（ｅｓｔｉｍａｔｅｄ−ＰＨ：Ｅ−ＰＨ）を計算する（Ｓ７１０）。推定余剰電力は、タイプ１の余剰電力とタイプ２の余剰電力を含む。タイプ１の余剰電力は数式１により、タイプ２の余剰電力は数式２により計算される。
【００８３】
端末は、推定余剰電力が臨界電力（Ｐｔｈ）より小さいかを判断する（Ｓ７１５）。臨界電力は０ｄＢでありうる。例えば、端末がＰＵＳＣＨのみを伝送する予定であれば、端末はタイプ１の余剰電力が０ｄＢより小さいかを判断し、端末がＰＵＳＣＨとＰＵＣＣＨを共に伝送する予定であれば、端末は、タイプ０の余剰電力が０ｄＢより小さいかを判断する。端末が、推定余剰電力が０ｄＢより小さいかを判断することは、ＰＲＡＣＨを伝送する第１のサブフレームでの推定余剰電力が０ｄＢより小さく設定されるサービングセルが存在するかを判断することに対応した概念である。
【００８４】
もし、推定余剰電力が臨界電力より小さければ、端末は、余剰電力報告（ＰＨＲ）をトリガリング（ｔｒｉｇｇｅｒｉｎｇ）する（Ｓ７２０）。余剰電力報告は、ｉ）推定余剰電力が臨界電力より小さい場合、ｉｉ）周期的タイマー（Ｐｅｒｉｏｄｉｃ  ｔｉｍｅｒ）が満了する場合、ｉｉｉ）経路損失（Ｐａｔｈ  Ｌｏｓｓ；ＰＬ）推定値が所定基準値以上に変化する場合、ｉｖ）副サービングセルに対するランダムアクセス手順指示子を受信した場合のうち、いずれか１つを満たす場合にトリガリングされる。余剰電力は随時変わるので、周期的（Ｐｅｒｉｏｄｉｃ）余剰電力報告方式が使用され得る。周期的余剰電力報告方式にしたがうとき、周期的タイマーが満了すれば、端末は余剰電力報告をトリガリングする。そして、余剰電力が報告されれば、端末は周期的タイマーを再駆動する。また、端末が測定した経路損失推定値が所定基準値以上に変化したときも余剰電力報告はトリガリングされ得る。経路損失推定値は、ＲＳＲＰ（ｒｅｆｅｒｅｎｃｅ  ｓｙｍｂｏｌ  ｒｅｃｅｉｖｅｄ  ｐｏｗｅｒ）に基づいて端末によって測定される。本発明の一実施形態によれば、ステップＳ７２０は場合によって省略されることもできる。この場合、推定余剰電力が臨界電力より小さければ、直ちにステップＳ７２５のステップが行われる。または、ステップＳ７２０とＳ７２５は、その順序が反対になることができ、同時に行われることもできることはもちろんである。ここで、余剰電力報告に含まれるサービングセル等は、余剰電力報告が測定されるサブフレームで活性化されているサービングセル等に限定するか、活性化されており、有効なアップリンク時間整列値を確保したサービングセル等に制限されることができる。
【００８５】
端末は、アップリンク信号とＰＲＡＣＨとのうち、電力割当優先順位にしたがって優先するもののみを選択的に第１のサブフレームから基地局に伝送する（Ｓ７２５）。例えば、アップリンク信号が、ＰＲＡＣＨより電力割当優先順位が高ければ、端末は、第１のサブフレームの第１のサービングセル上にアップリンク信号を伝送する。それに対し、ＰＲＡＣＨが、アップリンク信号より電力割当優先順位が高ければ、端末は、第１のサブフレームの第２のサービングセル上にＰＲＡＣＨを伝送する。このとき、電力割当優先順位が低いものは伝送されない。
【００８６】
さらに、ステップＳ７１５において、もし推定余剰電力が臨界電力より大きいか、同じであれば、端末は、第１のサブフレームにおいてアップリンク信号を第１のサービングセル上で伝送し、ＰＲＡＣＨを第２のサービングセル上で伝送する（Ｓ７３０）。
【００８７】
このように、多重コンポーネントキャリアシステムにおいてアップリンク信号を伝送するとき、電力割当優先順位にしたがって選択的にアップリンク信号を伝送すれば、アップリンク伝送電力が効率的に配分され得る。また、電力割当が単純で、かつ明確な規則によってなされるので、システムの複雑度を減らしつつ、性能が向上し得る。
【００８８】
図８は、本発明の他の例に係る端末によるアップリンク伝送電力の制御方法を説明する順序図である。
【００８９】
図８に示すように、端末は、第１のサブフレームの第１のサービングセル上で伝送されるようにスケジューリングされたアップリンク信号を生成する（Ｓ８００）。アップリンク信号は、例えば物理アップリンクチャネルまたはＳＲＳを含む。物理アップリンクチャネルは、ＰＵＣＣＨ、ＰＵＳＣＨのうち、少なくとも１つを含む。端末には２個以上のサービングセルが構成された状態であり、第１のサービングセルは主サービングセルを含む。
【００９０】
端末は、第１のサブフレームの第２のサービングセル上でランダムアクセス手順の開始を命令するランダムアクセス開始情報を基地局から受信する（Ｓ８０５）。ランダムアクセス開始情報は第２のサービングセルに関するものである。ランダムアクセス開始情報は、ＤＣＩのような形式で定義される。ＤＣＩは、ＰＤＣＣＨにマッピングされて基地局から端末に伝送される。これは、ＰＤＣＣＨ命令と呼ばれることができる。ＤＣＩは、ＤＣＩフォーマット１Ａでありうるし、表１のように定義されることができる。第２のサービングセルは副サービングセルを含む。ステップＳ８００とＳ８０５手順は、その順序が変わることもでき、同時に行われることもできる。
【００９１】
端末は、第１のサブフレームで推定される推定余剰電力（ｅｓｔｉｍａｔｅｄ−ＰＨ：Ｅ−ＰＨ）を計算する（Ｓ８１０）。推定余剰電力は、タイプ１の余剰電力とタイプ２の余剰電力とを含む。タイプ１の余剰電力は数式１により、タイプ２の余剰電力は数式２により計算される。
【００９２】
端末は、推定余剰電力が臨界電力（Ｐｔｈ）より小さいかを判断する（Ｓ８１５）。臨界電力は０ｄＢでありうる。例えば、端末がＰＵＳＣＨのみを伝送する予定であれば、端末はタイプ１の余剰電力が０ｄＢより小さいかを判断し、端末がＰＵＳＣＨとＰＵＣＣＨを共に伝送する予定であれば、端末はタイプ０の余剰電力が０ｄＢより小さいかを判断する。端末が、推定余剰電力が０ｄＢより小さいかを判断することは、ＰＲＡＣＨを伝送する第１のサブフレームでの推定余剰電力が０ｄＢより小さく設定されるサービングセルが存在するかを判断することに対応した概念である。
【００９３】
もし、推定余剰電力が臨界電力より小さければ、端末は余剰電力報告をトリガリングする（Ｓ８２０）。すなわち、推定余剰電力が臨界電力より小さい場合は、余剰電力報告のトリガリング要件に含まれる。本発明の一実施形態によれば、ステップＳ８２０は、場合によって省略されることもできる。この場合、推定余剰電力が臨界電力より小さければ、直ちにステップＳ８２５のステップが行われる。または、ステップＳ８２０とＳ８２５は、その順序が反対になることができ、同時に行われることもできることはもちろんである。
【００９４】
端末は、電力割当優先順位にしたがってアップリンク信号とＰＲＡＣＨとに各々割り当てられる伝送電力を調整する（Ｓ８２５）。例えば、アップリンク信号が、ＰＲＡＣＨより優先順位が低ければ、端末はアップリンク信号の伝送電力を調整する。より具体的には、表２に基づいて電力割当優先順位が低いものの伝送電力が調整される。
【００９５】
【表２】
0005763845.tif 000006
【００９６】
表２に示すように、電力割当優先順位は、前述されたように、ＰＲＡＣＨがＰＵＳＣＨよりは高いが、ＰＵＳＣＨにＡＣＫ／ＮＡＣＫ信号が含まれている場合、ＰＵＳＣＨがＰＲＡＣＨより電力割当優先順位が高い。また、ＰＵＳＣＨにＣＱＩまたはＲＩが含まれれば、ＰＵＳＣＨがＰＲＡＣＨより電力割当優先順位が高いことがある。そして、ＰＵＣＣＨがＰＲＡＣＨより電力割当優先順位が高く、ＰＲＡＣＨがＳＲＳより電力割当優先順位が高い。表２では、２個のサービングセルでの２個のチャネル間に電力割当優先順位を定義したが、これは例示であり、３個以上のサービングセルでの３個以上のチャネル等でも電力割当優先順位は同様に適用され得ることはもちろんである。
【００９７】
もし、互いに異なる３個以上のチャネル等が互いに異なるサービングセルを介して伝送が指示される場合、すなわち、ＰＵＣＣＨ、ＰＵＳＣＨ、及びＰＲＡＣＨが各々第１のサービングセル、第２のサービングセル、第３のサービングセルを介して同時に伝送される場合が生じる場合、また、第１のサービングセルでＰＵＣＣＨ及びＰＵＳＣＨが同時に伝送され、第２のサービングセルを介してＰＲＡＣＨが伝送されなければならない場合が生じる場合、ＰＵＣＣＨは常にＰＵＳＣＨより高い優先順位を有する。
【００９８】
アップリンク信号の伝送電力は、推定余剰電力が特定の値Ｐ’ＰＨ、ｃ−ｔｙｐｅ１またはＰ’ＰＨ、ｃ−ｔｙｐｅ２になるように調整される。例えば、Ｐ’ＰＨ、ｃ−ｔｙｏｅ１＝０ｄＢでありうる。電力割当優先順位が低いものの伝送電力を調整することは、電力割当優先順位が低いものの伝送電力を減少させることを含む。一例として、数式２は数式４に変更され、数式３は数式５に各々変更される。これは、アップリンク信号がＰＲＡＣＨより電力割当優先順位が低い場合である。
【００９９】
【数４】
0005763845.tif 000007
【０１００】
【数５】
0005763845.tif 000008
【０１０１】
すなわち、端末は、優先順位が低いアップリンク信号の伝送電力をＰ’ＰＵＳＣＨ、ｃまたはＰ’ＰＵＣＣＨ、ｃに減少させて、推定余剰電力がＰ’ＰＨ、ｃ−ｔｙｐｅ１またはＰ’ＰＨ、ｃ−ｔｙｐｅ２になるように調整する。ここで、ｃは、サービングセルのインデックスであって、アップリンク信号が第１のサービングセル上に伝送されるので、ｃ＝１である。または、主サービングセルである場合、サービングセルインデックス値の定義によってｃ＝０になり得る。
【０１０２】
他の例として、数式２は数式６に変更され、数式３は数式７に各々変更される。これは、ＰＲＡＣＨがアップリンク信号より電力割当優先順位が低い場合である。ここで、ｃはサービングセルのインデックスであって、アップリンク信号が第１のサービングセル上に伝送されるので、ｃ＝１である。または、主サービングセルである場合、サービングセルインデックス値の定義によってｃ＝０になることができる。
【０１０３】
【数６】
0005763845.tif 000009
【０１０４】
【数７】
0005763845.tif 000010
すなわち、端末は、優先順位が低いＰＲＡＣＨの伝送電力を減少させて最大送信電力をＰ’ｃｍａｘ、ｃになるようにし、これにより、推定余剰電力がＰ’ＰＨ、ｃ−ｔｙｐｅ１またはＰ’ＰＨ、ｃ−ｔｙｐｅ２になるように調整する。
【０１０５】
ＰＲＡＣＨの伝送電力の減少と最大送信電力の減少との間の関係は、次の数式により決定されることができる。
【０１０６】
最大送信電力Ｐｃｍａｘ、ｃは最小値Ｐｃｍａｘ＿Ｌ、ｃと最大値Ｐｃｍａｘ＿Ｈ、ｃの範囲を有するが、最小値Ｐｃｍａｘ＿Ｌ、ｃを決定するパラメータとしてＰＭＰＲ（Ｐｏｗｅｒ  ｍａｎａｇｅｍｅｎｔ  Ｍａｘｉｍｕｍ  Ｐｏｗｅｒ  Ｒｅｄｕｃｔｉｏｎ）がある。Ｐｃｍａｘ＿Ｌ、ｃは、次の数式のように定義される。
【０１０７】
【数８】
0005763845.tif 000011
【０１０８】
数式８に示すように、ＰＭＰＲｃは、サービングセルｃで電力バックオフ値（Ｐ−ＭＰＲ）である。ＭＩＮ［ａ、ｂ」は、ａとｂのうち、小さい値を意味し、ＰＥｍａｘ、ｃは、サービングセルｃで基地局のＲＲＣシグナリングにより決定される最大電力である。△ＴＣ、ｃは、帯域のエッジ（ｅｄｇｅ）でアップリンク伝送がある場合に適用される電力量であって、帯域幅によって１．５ｄＢまたは０ｄＢである。Ｐｐｏｗｅｒｃｌａｓｓは、多重コンポーネントキャリアシステムにおいて様々な端末の仕様をサポートするために定義した数個の電力クラス（ｐｏｗｅｒ  ｃｌａｓｓ）による電力値である。一般に、ＬＴＥシステムは、電力クラス３をサポートし、電力クラス３によるＰｐｏｗｅｒｃｌａｓｓは２３ｄＢｍである。ＭＰＲｃは、サービングセルｃで最大電力減少量であり、ＡＭＰＲｃ（Ａｄｄｉｔｉｏｎａｌ  ＭＰＲ）は、サービングセルｃで基地局によりシグナリングされる追加的な最大電力減少量である。
このように、ＰＭＰＲｃにより各サービングセルでの最大送信電力Ｐｃｍａｘ、ｃが変更される。各サービングセルでの最大送信電力Ｐｃｍａｘ、ｃが変更されれば、結果的に余剰電力も変更される。
【０１０９】
一例として、サービングセルのＰＭＰＲを決定する式は、次の数式のとおりである。
【０１１０】
【数９】
0005763845.tif 000012
【０１１１】
ここで、ＰＭＰＲｃは、サービングセルｃのＰＭＰＲであり、ΣＰｃｍａｘ＿ｅｔｃは、ＬＴＥ以外の無線通信システムの現在送信電力の総合であり、ＰＰＲＡＣＨは、ランダムアクセス手順で伝送され得るＰＲＡＣＨに割り当てる送信電力値であり、ＥＭＰＲｃは、当該サービングセルｃのＬＴＥ周波数帯域による固有の放出効果を減らすための追加的な最大送信電力減少値（Ｅ−ＭＰＲ）である。Ｎは、任意の活性化されたサービングセルでランダムアクセス開始情報を受信した端末に構成されたＵＬ  ＣＣを含むサービングセル等の個数であり、Ｍは、有効な時間整列（ｔｉｍｉｎｇ  ａｌｉｇｎｍｅｎｔ：ＴＡ）値を確保しなかったか、有効性の満了した時間整列値を確保した時間整列グループ（ＴＡＧ）内のサービングセル等の個数である。すなわち、「Ｎ−Ｍ」は、任意の活性化されたサービングセルでＰＤＣＣＨ命令を受信した端末に構成されたＵＬ  ＣＣを含むサービングセルのうち、有効なＴＡ値を確保したＴＡＧ等に含まれたサービングセル等の個数である。
【０１１２】
他の例として、ランダムアクセス手順で伝送され得るＰＲＡＣＨに割り当てる送信電力値（ＰＰＲＡＣＨ）は、プリアンブル受信目標電力値（ｐｒｅａｍｂｌｅ  ｒｅｃｅｉｖｅｄ  ｔａｒｇｅｔ  ｐｏｗｅｒ）に基づいて決定され得る。ただし、端末のダウンリンク経路損失推定値を考慮し、Ｐｃｍａｘ、ｃ値よりは大きくないように次の数式のように決定されることができる。
【０１１３】
【数１０】
0005763845.tif 000013
【０１１４】
ここで、Ｐｃｍａｘ、ｃ（ｉ）は、サービングセルのサブフレームｉに対して設定された端末の送信電力であり、ＰＬｃは、端末のサービングセルに対するダウンリンク経路損失推定値である。ＰＲＴＰは、プリアンブル受信目標電力値（ｐｒｅａｍｂｌｅ  ｒｅｃｅｉｖｅｄ  ｔａｒｇｅｔ  ｐｏｗｅｒ）である。
【０１１５】
端末は、電力割当優先順位に基づいて優先順位が低いＰＲＡＣＨの伝送電力であるＰＰＲＡＣＨを減少させることができ、それにより、ＰＭＰＲが減少されて結果的にＰｃｍａｘ、ｃを減少させることができる。
【０１１６】
または、ＰＰＲＡＣＨ値がＰＭＰＲ値に反映されずに直ちにＰｃｍａｘ、ｃ値に影響を与える値で定義され得る。すなわち、活性化されており、アップリンク時間整列値を確保したサービングセル等に対してＰｃｍａｘ、ｃで直接的にＰＰＲＡＣＨ／（Ｎ−Ｍ）ほど低くする方式で定義され得る。端末は、調整された伝送電力に基づいて第１のサブフレームの第１のサービングセル上でアップリンク信号を基地局に伝送し、第１のサブフレームの第２のサービングセル上でＰＲＡＣＨを伝送する（Ｓ８３０）。たとえ、電力割当優先順位が低くても、減少された伝送電力でアップリンク信号またはＰＲＡＣＨが伝送され得る。
【０１１７】
また、ステップＳ８１５において、もし、推定余剰電力が臨界電力より大きいか、同じであれば、端末は、伝送電力の調整なしで第１のサブフレームの第１のサービングセル上でアップリンク信号を伝送し、第１のサブフレームの第２のサービングセル上でＰＲＡＣＨを基地局に伝送する（Ｓ８３０）。
【０１１８】
このように、多重コンポーネントキャリアシステムにおいてアップリンク信号を伝送するとき、電力割当優先順位にしたがって各物理アップリンクチャネルまたは信号の伝送電力を調整すれば、特定信号の伝送が放棄（ｄｒｏｐ）されることなく全て伝送されることができる。
【０１１９】
図９は、本発明の一例に係るアップリンク伝送電力の制御方法を説明するフローチャートである。
【０１２０】
図９に示すように、基地局は、第１のサブフレームの第２のサービングセル上でランダムアクセス手順の開始を命令するランダムアクセス開始情報を端末に伝送する（Ｓ９００）。端末には、第１のサービングセル（ＳＣｅｌｌ  １）と第２のサービングセル（ＳＣｅｌｌ  ２）とが構成された状態であり、ランダムアクセス開始情報は、例示的に第１のサービングセル上に伝送される。ランダムアクセス開始情報が第２のサービングセル上に伝送され得ることはもちろんである。ランダムアクセス開始情報は、表１のようなＤＣＩフォーマット１Ａを含み、セルインデックスフィールドは第２のサービングセルを指示する。ここで、第１のサービングセルは主サービングセルであり、第２のサービングセルは副サービングセルでありうる。
【０１２１】
端末は、推定余剰電力（Ｅ−ＰＨ）を計算する（Ｓ９０５）。推定余剰電力は、タイプ１の余剰電力とタイプ２の余剰電力とを含む。タイプ１の余剰電力は数式１により、タイプ２の余剰電力は数式２により計算される。ここで、推定余剰電力は、特定の値（例えば、０ｄＢ）より小さいことと定義する。
【０１２２】
推定余剰電力が特定の値より小さいので、端末は余剰電力報告（ＰＨＲ）をトリガリングする（Ｓ９１０）。
【０１２３】
端末は、第１のサブフレームの第１のサービングセル上に伝送されるＰＵＳＣＨが存在すれば、ＰＵＳＣＨと第２のサービングセル上に伝送されるＰＲＡＣＨとの間の電力割当優先順位を判断する。例えば、ＰＵＳＣＨがＡＣＫ／ＮＡＣＫ信号、ＣＱＩ、ＲＩのうち、いずれか１つも含んでいない場合、端末は、ＰＵＳＣＨがＰＲＡＣＨより優先順位が低いことと判断し、ＰＵＳＣＨの伝送電力を数式４のように減少させ、推定余剰電力が０ｄＢになるように減少させる。そして、端末は、減少された伝送電力でＰＵＳＣＨを第１のサブフレームの第１のサービングセルを介して基地局に伝送し、元々スケジュールされた伝送電力でＰＲＡＣＨを第１のサブフレームの第２のサービングセルを介して基地局に伝送する（Ｓ９１５）。
【０１２４】
以後、端末は、余剰電力報告を基地局に伝送する（Ｓ９２０）。これは、余剰電力が０ｄＢより小さいことを基地局に知らせ、基地局がランダムアクセス開始やアップリンクスケジューリングを再実行できるようにするためである。
【０１２５】
図１０は、本発明の一例に係るアップリンク伝送電力を制御する端末と基地局を示したブロック図である。
【０１２６】
図１０に示すように、端末１０００は、受信部１００５、端末プロセッサ１０１０、及び伝送部１０２０を備える。端末プロセッサ１０１０は、さらに電力調整部１０１１及び信号生成部１０１２を備える。
【０１２７】
受信部１００５は、ランダムアクセス開始情報を基地局１０５０から受信する。ランダムアクセス開始情報は、端末１０００に構成された第２のサービングセルに関するものである。ランダムアクセス開始情報は、ダウンリンク制御情報（ｄｏｗｎｌｉｎｋ  ｃｏｎｔｒｏｌ  ｉｎｆｏｒｍａｔｉｏｎ：ＤＣＩ）を含む。ＤＣＩは、ＰＤＣＣＨにマッピングされて基地局から端末に伝送される。これは、ＰＤＣＣＨ命令と呼ばれることができる。ＤＣＩは、ＤＣＩフォーマット１Ａでありうるし、表１のように定義され得る。
電力調整部１０１１は、第１のサブフレームで推定される推定余剰電力（ｅｓｔｉｍａｔｅｄ−ＰＨ：Ｅ−ＰＨ）を計算する。ここで、第１のサブフレームは、端末１０００に構成された第１のサービングセルと第２のサービングセル上に物理アップリンクチャネルまたは信号が伝送される時間区間を意味する。推定余剰電力は、タイプ１の余剰電力とタイプ２の余剰電力を含む。タイプ１の余剰電力は数式１により、タイプ２の余剰電力は数式２により計算される。
【０１２８】
電力調整部１０１１は、推定余剰電力が臨界電力（Ｐｔｈ）より小さいかを判断する。臨界電力は０ｄＢでありうる。例えば、端末１０００がＰＵＳＣＨのみを伝送する予定であれば、電力調整部１０１１は、タイプ１の余剰電力が０ｄＢより小さいかを判断し、端末１０００がＰＵＳＣＨとＰＵＣＣＨを共に伝送する予定であれば、端末は、タイプ０の余剰電力が０ｄＢより小さいかを判断する。電力調整部１０１１が、推定余剰電力が０ｄＢより小さいかを判断することは、ＰＲＡＣＨを伝送する第１のサブフレームでの推定余剰電力が０ｄＢより小さく設定されるサービングセルが存在するかを判断することに対応した概念である。
【０１２９】
もし、推定余剰電力が臨界電力より小さければ、信号生成部１０１２は、余剰電力報告をトリガリングする。すなわち、推定余剰電力が臨界電力より小さい場合は、余剰電力報告のトリガリング要件に含まれる。
【０１３０】
信号生成部１０１２は、アップリンク信号とＰＲＡＣＨを生成する。アップリンク信号は、ＰＵＳＣＨ、ＰＵＣＣＨ、及びＳＲＳのうち、少なくとも１つを含む。アップリンク信号は第１のサービングセル上に、ＰＲＡＣＨは第２のサービングセル上に伝送されるようにスケジューリングされた状態である。
【０１３１】
電力調整部１０１１は、電力割当優先順位にしたがってアップリンク信号とＰＲＡＣＨに各々割り当てられる伝送電力を調整する。例えば、アップリンク信号がＰＲＡＣＨより電力割当優先順位が低ければ、電力調整部１０１１はアップリンク信号の伝送電力を調整する。より具体的には、電力調整部１０１１は、表２に基づいて電力割当優先順位が低いものの伝送電力を調整する。そして、電力調整部１０１１は、アップリンク信号が調整された伝送電力で伝送されるように伝送部１０２０を制御する。
【０１３２】
または、電力調整部１０１１は、電力割当優先順位にしたがってアップリンク信号とＰＲＡＣＨのうち、いずれか１つの伝送電力のみを選択して元々のスケジューリングどおりに割り当て、他の１つには伝送電力を割り当てない。すなわち、電力調整部１０１１は、他の１つの伝送を放棄（ｄｒｏｐ）する。このために、電力調整部１０１１は、選択された１つの信号のみが伝送されるように伝送部１０２０を制御する。
【０１３３】
伝送部１０２０は、電力調整部１０１１の制御によってアップリンク信号とＰＲＡＣＨを各々調整された伝送電力で伝送するが、アップリンク信号を第１のサブフレームの第１のサービングセル上に伝送し、ＰＲＡＣＨを第１のサブフレームの第２のサービングセル上に伝送する。または、伝送部１０２０は、電力調整部１０１１の制御によってアップリンク信号とＰＲＡＣＨのうち、選択されたいずれか１つのみを伝送する。例えば、アップリンク信号が選択された場合、伝送部１０２０は、第１のサブフレームの第１のサービングセル上にアップリンク信号を伝送する。それに対し、ＰＲＡＣＨが選択された場合、伝送部１０２０は、第１のサブフレームの第２のサービングセル上にＰＲＡＣＨを伝送する。
【０１３４】
もし、推定余剰電力が臨界電力より大きいか、同じであれば、電力調整部１０１１は、第１のサブフレームで元々スケジュールされた伝送電力をアップリンク信号とＰＲＡＣＨの伝送のために割当及び分配し、伝送部１０２０は、信号生成部１０１２により生成されたアップリンク信号とＰＲＡＣＨを基地局１０５０に伝送する。
【０１３５】
基地局１０５０は、伝送部１０５５、受信部１０６０、及び基地局プロセッサ１０７０を備える。基地局プロセッサ１０７０は、さらにＤＣＩ生成部１０７１及びスケジューリング部１０７２を備える。
【０１３６】
伝送部１０５５は、ランダムアクセス開始情報を端末１０００に伝送する。
【０１３７】
受信部１０６０は、アップリンク信号とＰＲＡＣＨのうち、少なくとも１つを端末１０００から受信する。このとき、受信部１０６０は、アップリンク信号を第１のサービングセル上で受信し、ＰＲＡＣＨを第２のサービングセル上で受信する。または、受信部１０６０は、時に応じて端末１０００の信号が不連続的であるかを判断するための不連続受信（ｄｉｓｃｏｎｔｉｎｕｏｕｓ  ＲＸ：ＤＲＸ）モードで動作することができる。
【０１３８】
ＤＣＩ生成部１０７１は、ランダムアクセス開始情報を生成して伝送部１０５５に送る。
【０１３９】
スケジューリング部１０７２は、端末１０００のアップリンク信号の伝送をスケジューリングする。
【０１４０】
以上の説明は、本発明の技術思想を例示的に説明したことにすぎないものであって、本発明の属する技術分野における通常の知識を有した者であれば、本発明の本質的な特性から逸脱しない範囲で様々な修正及び変形が可能であろう。したがって、本発明に開示された実施形態は、本発明の技術思想を限定するためのものでなく、説明するためのものであり、このような実施形態によって本発明の技術思想の範囲が限定されるものではない。本発明の保護範囲は、下記の請求の範囲によって解析されなければならず、それと同等な範囲内にある全ての技術思想は、本発明の権利範囲に含まれることと解析されるべきであろう。
【図１】
0005763845.tif 000014
【図２】
0005763845.tif 000015
【図３】
0005763845.tif 000016
【図４】
0005763845.tif 000017
【図５】
0005763845.tif 000018
【図６】
0005763845.tif 000019
【図７】
0005763845.tif 000020
【図８】
0005763845.tif 000021
【図９】
0005763845.tif 000022
【図１０】
0005763845.tif 000023